(57)【要約】【課題】パネル間の電源配線を縦方向に接続する場合に、壁際等でも実組により施工することができる床暖房パネルを提供する。【解決手段】ホルダー収納凹所２１のパネル短辺方向の幅を、コネクタ収納凹所２４に対して、少なくともパネル本体の凸部２２の幅分だけ凹部２３側に拡張した構造とする。壁際のパネルを施工する際に、ホルダー１６を相対するコネクタ１５に対して縦方向のほぼ同位置まで寄せることができるため、差し込み代がなくても、コネクタ１５にホルダー１６の接続端子１６ｂを挿入することができるうえ、相対する各パネルと相互に実組により連結することができる。【選択図】    図１
2006170522.tif 000002
【特許請求の範囲】
【請求項１】
ヒータを内蔵し、当該ヒータと接続する端子として、対向する短辺に互いに接続可能な第１端子部と第２端子部とをそれぞれ備え、且つ隣接する長辺と短辺に凸部が形成され、他の隣接する長辺と短辺に凹部が形成された構造を有し、長手方向に隣接する前記床暖房パネルの第１端子部と第２端子部とを接続するとともに、隣接する前記床暖房パネルの相対する凸部と凹部とを実組することで相互に連結される床暖房パネルであって、
前記第２端子部をパネル奥側に収納する第２端子部収納凹所の短辺方向の幅を、前記第１端子部を収納する第１端子部収納凹所に対して、少なくとも前記凸部の幅分だけ前記凹部側に拡張したことを特徴とする床暖房パネル。
【請求項２】
前記第２端子部収納凹所の平面形状を略Ｌ字形状としたことを特徴とする請求項１に記載の床暖房パネル。
【請求項３】
略Ｌ字形状をなす前記第２端子部収納凹所の角部に傾斜部を設けたことを特徴とする請求項２に記載の床暖房パネル。
【発明の詳細な説明】
【技術分野】
【０００１】
この発明は、床材一体型の床暖房パネルに関し、詳しくは、壁際等でも実組による施工が可能な床暖房パネルに関する。
【背景技術】
【０００２】
従来より、ヒータを内蔵した床暖房パネルを複数枚連結して床張りする床暖房システムが知られている。このような床暖房システムに用いられる床暖房パネル（以下、適宜にパネルという）は、例えば、表面化粧を施した表層材と、断熱性に優れた基材合板とからなるパネル本体の内部に、電熱式のヒータを内蔵している。そして、各々のヒータに電源を供給するために、隣接するパネル間を一対のコネクタとホルダーとで接続する構造となっている。このような配線接続構造に関連する従来技術としては、例えば特許文献１〜５に示すようなものが知られている。
【特許文献１】実開平６−１４８１６号公報
【特許文献２】実開平６−２２８２２号公報
【特許文献３】特開２０００−１３０７８６号公報
【特許文献４】特開平１１−３３７１００号公報
【特許文献５】特開平９−２１０３８６号公報
【発明の開示】
【発明が解決しようとする課題】
【０００３】
パネル間における電源配線の接続方式としては、パネルの横方向（長辺側）で接続する方式や、縦方向（短辺側）で接続する方式のほか、両方を組み合わせた方式がある。このうち、縦方向で接続する方式では、パネルの対向する短辺に互いに接続可能なコネクタとホルダーをそれぞれ設け、施工済みパネルの長手方向に次のパネルを置いてコネクタとホルダーとを接続するようにしている。
【０００４】
図３は縦方向接続の従来例を示す平面図。図４（ａ）は床暖房パネルの１枚分を示す平面図、同図（ｂ）は実組により連結した床暖房パネルの縦方向の断面図である。
【０００５】
ここでは、図３に示すように、２枚のパネル１０Ａ，１０Ｂが施工済みであり、このうちパネル１０Ａに隣接してパネル１０Ｃを施工し、さらにパネル１０Ｄをパネル１０Ｂとパネル１０Ｃに実組により連結して施工する場合について説明する（ただし、接着剤の塗布や釘打ち等については説明を省略する）。
【０００６】
なお、図３はパネルを裏面側（床面側）から見たときの状態を示している。また、内蔵するヒータの図示を省略している。
【０００７】
パネル１０Ｄを施工する場合は、パネル１０Ｄを施工済みのパネル１０Ｂおよびパネル１０Ｃに寄せた位置に置き、コネクタ１５の配線コード１５ａと、ホルダー１６の配線コード１６ａとを引き出して、コネクタ１５とホルダー１６とを接続する。次に、パネル１０Ｄを施工済みのパネル１０Ｃ側に寄せていき、それぞれの相対する長辺側で相互に実組により連結する。続いて、パネル１０Ｄをパネル１０Ｂ側に寄せていき、それぞれの相対する短辺側で相互に実組により連結する。このとき、コネクタ１５、ホルダー１６はそれぞれパネル内部の収納凹所１７，１８に収納される。
【０００８】
ここで、各パネルの連結構造について説明する（以下、共通のパネル１０として説明する）。図４（ａ）に示すように、パネル１０の隣接する長辺と短辺にはそれぞれ凸部１１，１２が形成され、また他の隣接する長辺と短辺にはそれぞれ凹部１３，１４が形成されている。そして、図４（ｂ）に示すように、隣接するパネルの相対する凸部１１（１２）と凹部１３（１４）とを実組することで相互に連結する構造となっている。
【０００９】
上記のような電源配線の接続とパネルの連結は、施工しようとするパネルの周囲に十分なスペースが確保できれば問題なく作業することができる。ところが、施工する部屋の割付によっては、図５に示すように、パネル１０Ｄが部屋の壁際１９に配置されることがある。この場合、パネル１０Ｄを横方向へずらすことがほとんどできないため、コネクタ１５に対してホルダー１６を斜めから挿入する場合に必要な差し込み代ａを確保することができず、パネル１０Ｄを施工することができなくなるという問題が生じる。
【００１０】
ちなみに、コネクタ１５はキャスタ性能（床荷重耐圧性能）を確保するためにコネクタ収納部の領域を小さくしているので、ホルダー１６を差し込む際にコネクタ１５を動かせる範囲が狭く、このため十分な差し込み代が必要となる。
【００１１】
この発明の目的は、パネル間の電源配線を縦方向に接続する場合に、壁際等でも実組により施工することができる床暖房パネルを提供することにある。
【課題を解決するための手段】
【００１２】
請求項１に係わる床暖房パネルは、ヒータを内蔵し、当該ヒータと接続する端子として、対向する短辺に互いに接続可能な第１端子部と第２端子部とをそれぞれ備え、且つ隣接する長辺と短辺に凸部が形成され、他の隣接する長辺と短辺に凹部が形成された構造を有し、長手方向に隣接する前記床暖房パネルの第１端子部と第２端子部とを接続するとともに、隣接する前記床暖房パネルの相対する凸部と凹部とを実組することで相互に連結される床暖房パネルであって、前記第２端子部をパネル奥側に収納する第２端子部収納凹所の短辺方向の幅を、前記第１端子部を収納する第１端子部収納凹所に対して、少なくとも前記凸部の幅分だけ前記凹部側に拡張したことを特徴とする。
【００１３】
上記構成における第１端子部と第２端子部とは、互いに反対の接続構造を有するものである。すなわち、雄型端子（ホルダー）と雌型端子（コネクタ）との組み合わせによる接続構造において、第１端子部がコネクタであれば、第２端子部はホルダーであり、第１端子部がホルダーであれば、第２端子部はコネクタである。
【００１４】
請求項２に係わる床暖房パネルは、請求項１において、前記第２端子部収納凹所の平面形状を略Ｌ字形状としたことを特徴とする。
【００１５】
請求項３に係わる床暖房パネルは、請求項２において、略Ｌ字形状をなす前記第２端子部収納凹所の角部に傾斜部を設けたことを特徴とする。
【発明の効果】
【００１６】
請求項１に係わる床暖房パネルによれば、壁際に施工する床暖房パネルの第２端子部を、隣接する床暖房パネルの第１端子部に対して縦方向のほぼ同位置まで寄せることができるため、第１端子部に対して第２端子部を斜めから挿入する場合の差し込み代を確保する必要がなく、壁際に凸部の幅分と同じ隙間があれば、隣接する床暖房パネルの第１端子部と第２端子部との接続を行うことができるうえ、床暖房パネルを相対する各床暖房パネルと相互に実組により連結することができる。
【００１７】
請求項２に係わる床暖房パネルによれば、第２端子部収納凹所の平面形状を略Ｌ字形状としたので、この部分を四角形状とした場合と比べてキャスタ性能の低下を最小限に抑えることができる。
【００１８】
請求項３の係わる床暖房パネルによれば、第１端子部と接続するために第２端子部を一方に寄せたときや、第２端子部が元の位置に戻ったときに配線コードが角部に引っ掛かることがなく、第２端子部を収納した際の配線コードの納まりを良くすることができる。
【発明を実施するための最良の形態】
【００１９】
以下、本発明に係わる床暖房パネルを実施するための最良の形態となる実施例について説明する。なお、図３〜図５に示した構成と同等部分には適宜に同一符号を付して説明する。
【実施例１】
【００２０】
図１は、本実施例に係わる床暖房パネル２０のホルダー側の構成を示す部分平面図である。図１では、同一構成の床暖房パネル２０におけるコネクタ側の構成を左側に一点鎖線で示している。すなわち図１では、隣接する２つの床暖房パネルを縦方向の同一位置に配置したときの位置関係を示している。
【００２１】
床暖房パネル２０の一方の短辺側には、ホルダー１６をパネル奥側に収納するためのホルダー収納凹所２１が設けられている。ホルダー１６は配線コード１６ａとともにホルダー収納凹所２１の外側に引き出されて、隣接する他の床暖房パネル２０のコネクタ１５と接続される。ホルダー収納凹所２１は、パネル短辺方向の幅が、コネクタ１５を収納するコネクタ収納凹所２４に対して、少なくともパネル本体の凸部２２の幅分だけ凹部２３側に拡張した寸法となっている。例えば、凸部２２の幅分（平面的な突出長さ）を５ｍｍとすると、拡張した寸法ｂは少なくとも５ｍｍ、好ましくは各パネルの寸法誤差を考慮したマージンを加えた寸法（約６ｍｍ程度）に設定する。また、ホルダー収納凹所２１の奥行き寸法ｃは、少なくともホルダー１６の長さ（あるいは接続端子１６ｂを含めた長さ）に、凸部２２の幅分を加えた寸法とし、好ましくは各パネルの寸法誤差を考慮したマージンを加えた長さに設定する。図１に示す奥行き寸法ｃは、ホルダー１６の長さ、凸部２２の幅分および所定のマージンを加えた寸法を示している。
【００２２】
本実施例では、拡張したホルダー収納凹所２１の平面形状を四角形ではなく、略Ｌ字形状とすることにより、空洞部分の面積を少なくして、キャスタ性能の低下を最小限に抑えている。
【００２３】
また、本実施例では、奥側の角部２５に傾斜部２５ａを設けている。このような傾斜部２５ａを設けることにより、コネクタ１５と接続するためにホルダー１６を一方に寄せたときや、ホルダー１６が元の位置に戻ったときに配線コード１６ａが角部２５に引っ掛かることがなく、ホルダー１６を収納した際の配線コード１６ａの納まりを良くすることができる。なお、角部２５の一辺の幅ｄは、少なくとも凸部２２の幅分の長さを確保することが望ましい。図１に示す幅ｄは、凸部２２の幅分に所定のマージンを加えた長さを示している。
【００２４】
次に、上記のように構成された床暖房パネル２０を壁際で施工する場合について説明する。
【００２５】
図２（ａ）〜（ｃ）は、縦方向接続により壁際のパネルを施工する手順を示す平面図である。ここでは、先に説明した図３と同様に、２枚のパネル２０Ａ，２０Ｂが施工済みであり、このうちパネル２０Ａに隣接してパネル２０Ｃを施工し、さらにパネル２０Ｄをパネル２０Ｂとパネル２０Ｃに実組より連結して施工する場合について説明する。
【００２６】
まず、図２（ａ）に示すように、パネル２０Ｄを壁際１９と接するようにして配置し、コネクタ１５の配線コード１５ａと、ホルダー１６の配線コード１６ａとを引き出して、コネクタ１５とホルダー１６とを接続する。このとき、ホルダー１６をホルダー収納凹所２１内で移動することにより、パネル２０Ｃのコネクタ１５に対して縦方向のほぼ同位置まで寄せることができるため、図３に示すような差し込み代ａがなくても、コネクタ１５にホルダー１６の接続端子１６ｂを挿入することができる。そして、コネクタ１５とホルダー１６とを接続した後、パネル２０Ｄを矢印３１に示すように施工済みパネル２０Ｂ側に寄せていき、それぞれの長辺側で相互に実組により連結する。このとき、ホルダー１６はコネクタ１５との接続状態を保ったままホルダー収納凹所２１内を相対移動する。
【００２７】
次に、図２（ｂ）に示すように、パネル２０Ｄを矢印３２に示すようにパネル２０Ｃ側に寄せていき、それぞれの短辺側で相互に実組により連結する。
【００２８】
この結果、図２（ｃ）に示すように、パネル２０Ｄはパネル２０Ａおよび施工済みのパネル２０Ｂとそれぞれ実組により連結され、壁際１９におけるパネル２０Ｄの施工が完了する。このとき、ホルダー１６は、配線コード１６ａとともにホルダー収納凹所２１に収納される。
【００２９】
なお、パネル２０Ｄを施工後に、壁際１９に施工された各パネルの凸部２２上に、壁際１９に添うように図示しない巾木を取り付けることにより、壁際１９と各パネルとの間の隙間を埋めることができる。
【００３０】
以上説明したように、本実施例に係わる床暖房パネル２０では、ホルダー収納凹所２１の幅を、コネクタ収納凹所２４に対して、少なくともパネル本体の凸部２２の幅分だけ凹部２３側に拡張したので、壁際のパネル２０Ｄのホルダー１６を、隣接するパネル２０Ｃのコネクタ１５に対して縦方向のほぼ同位置まで寄せることができる。これによれば、コネクタ１５に対してホルダー１６を斜めから挿入する場合の差し込み代ａを確保する必要がなく、壁際に凸部の幅分と同じ隙間があれば、隣接するパネル２０Ｃのコネクタ１５とホルダー１６との接続を行うことができるうえ、パネル２０Ｄを相対するパネル２０Ｃとパネル２０Ｂと相互に実組により連結することができる（請求項１の効果）。
【００３１】
また、本実施例では、ホルダー収納凹所２１の平面形状を略Ｌ字形状としたので、この部分を四角形状とした場合と比べて空洞部分の面積が少なくなるため、キャスタ性能の低下を最小限に抑えることができる（請求項２の効果）。
【００３２】
また、本実施例では、ホルダー収納凹所２１の奥側の角部２５に傾斜部２５ａを設けているため、コネクタ１５と接続するためにホルダー１６を一方に寄せたときや、ホルダー１６が元の位置に戻ったときに配線コード１６ａが角部２５に引っ掛かることがなく、ホルダー１６を収納した際の配線コード１６ａの納まりを良くすることができる（請求項３の効果）。
【００３３】
なお、上記実施例では、ホルダー収納凹所２１の幅をコネクタ収納凹所２４に対して拡張した例について説明したが、ホルダー収納凹所２１の幅を変えずに、図１に示すコネクタ収納凹所２４の幅を拡張するように構成することもできる。その場合も上記実施例と同等の効果を得ることができる。
【図面の簡単な説明】
【００３４】
【図１】実施例１に係わる床暖房パネルのホルダー側の構成を示す部分平面図である。
【図２】（ａ）〜（ｃ）は縦方向接続により壁際のパネルを施工する手順を示す平面図である。
【図３】縦方向接続の従来例を示す平面図である。
【図４】（ａ）は床暖房パネルの１枚分を示す平面図である。（ｂ）は実組により連結した床暖房パネルの縦方向の断面図である。
【図５】床暖房パネルを縦方向接続により壁際で施工する場合の従来例を示す平面図である。
【符号の説明】
【００３５】
１５…コネクタ
１５ａ，１６ａ…配線コード
１６…ホルダー
１６ｂ…接続端子
１９…壁際
２０，２０Ａ〜２０Ｄ…床暖房パネル
２１…ホルダー収納凹所
２２…凸部
２３…凹部
２４…コネクタ収納凹所
２５…角部
２５ａ…傾斜部
【図１】
2006170522.tif 000003
【図２】
2006170522.tif 000004
【図３】
2006170522.tif 000005
【図４】
2006170522.tif 000006
【図５】
2006170522.tif 000007